(57)【要約】【課題】  規格化された管に巻きつけることでその外径を測定すると共に、管の内径又はその中に収納されるケーブルの規格などを容易に知ることができる管径測定具を提供する。【解決手段】  管径測定具１は、帯状のシート２に、等間隔に振られた目盛り４と、それに対応した位置に、管の外径を表す数字と、その外径を表す数字に対応して管の内径を表す数字とを表示して、形成されている。【選択図】  図１
2007101378.tif 000002
【特許請求の範囲】
【請求項１】
帯状のシートに、一定の間隔をおいて配置された目盛りと、前記目盛りに対応して外径を表す数字その他の符号とを表示し、該シートを被測定管に巻きつけたとき、前記目盛りの基準点と重なった位置に表示された符号により前記管の外径を測定可能な管径測定具であって、
前記外径を表す符号と対応する位置に、前記管の内径を表す数字その他の符号を表示したことを特徴とする管径測定具。
【請求項２】
帯状のシートに、一定の間隔をおいて配置された目盛りと、前記目盛りに対応して外径を表す数字その他の符号とを表示し、該シートを被測定管に巻きつけたとき、前記目盛りの基準点と重なった位置に表示された符号により前記管の外径を測定可能な管径測定具であって、
前記外径を表す符号と対応する位置に、前記管の内部に収納可能なケーブルの型式、断面寸法その他の規格を表す符号を表示したことを特徴とする管径測定具。
【請求項３】
帯状のシートに、一定の間隔をおいて配置された目盛りと、前記目盛りに対応して外径を表す数字その他の符号とを表示し、該シートを被測定管に巻きつけたとき、前記目盛りの基準点と重なった位置に表示された符号により前記管の外径を測定可能な管径測定具であって、
前記外径を表す符号と対応する位置に、前記管の内径を表す数字その他の符号と、前記管の内部に収納可能なケーブルの型式、断面寸法その他の規格を表す符号とを表示したことを特徴とする管径測定具。
【発明の詳細な説明】
【技術分野】
【０００１】
本発明は、電気機器に電力を供給するための電力ケーブル、通信用の電線又は光ケーブル等のケーブルを収納する円管その他の管部材の径を測定するための道具（管径測定具）に関する。
【背景技術】
【０００２】
例えば、一般家庭や事業所その他ユーザの使用した電気量を計量する電力量計に接続する引込み線の電線ケーブルは、所定の管部材に収納され、その中を貫通して、接続端が電力量計に接続されている。このようなケーブルは、ユーザの使用する電力量の定格を変更する場合、或いは老朽化した場合等に交換されるが、その交換に伴って、ケーブルを収納する管部材も変更する必要があるか否かを決めるため、管部材に収納されているケーブルの型式や断面寸法を知ることが必要である。
【０００３】
ケーブルが露出している場合は直接その外径を測ることができるが、上記のようにケーブルが管に収納されている場合には、直接計ることができない。その場合は管の外径を測り、管の仕様書を参照して管の内径を割り出し、その結果から中に収納されているケーブル又は収納可能なケーブルの規格を割り出している。
【発明の開示】
【発明が解決しようとする課題】
【０００４】
しかしながら、この方法では、現場にケーブル管や電線ケーブルの仕様書を持って行くか、或いは測定結果を持ち帰って仕様書を参照して調べる必要があるので、面倒であり、また割り出す作業に手間と時間がかかるという問題があった。
【０００５】
本発明の目的は、規格化された管の外径からその内径、規格及び中に入っている又は収納可能なケーブルの規格を割り出す作業を必要とせず、現場でケーブル管の外径、内径、規格及び中に入っている又は収納可能なケーブルの規格を直ちに知ることができる管径測定具を提供することである。
【課題を解決するための手段】
【０００６】
本発明の第１の態様は、帯状のシートに、一定の間隔をおいて配置された目盛りと、前記目盛りに対応して外径を表す数字その他の符号とを表示し、該シートを被測定管に巻きつけたとき、前記目盛りの基準点と重なった位置に表示された符号により前記管の外径を測定可能な管径測定具であって、前記外径を表す符号と対応する位置に、前記管の内径を表す数字その他の符号を表示したことを特徴とする。
【０００７】
第２の態様は、帯状のシートに、一定の間隔をおいて配置された目盛りと、前記目盛りに対応して外径を表す数字その他の符号とを表示し、該シートを被測定管に巻きつけたとき、前記目盛りの基準点と重なった位置に表示された符号により前記管の外径を測定可能な管径測定具であって、前記外径を表す符号と対応する位置に、前記管の内部に収納可能なケーブルの型式、断面寸法その他の規格を表す符号を表示したことを特徴とする。
【０００８】
第３の態様は、帯状のシートに、一定の間隔をおいて配置された目盛りと、前記目盛りに対応して外径を表す数字その他の符号とを表示し、該シートを被測定管に巻きつけたとき、前記目盛りの基準点と重なった位置に表示された符号により前記管の外径を測定可能な管径測定具であって、前記外径を表す符号と対応する位置に、前記管の内径を表す数字その他の符号と、前記管の内部に収納可能なケーブルの型式、断面寸法その他の規格を表す符号とを表示したことを特徴とする。
【発明の効果】
【０００９】
本発明によれば、管の外径を測る場合、本発明の管径測定具を管に巻きつけ、目盛りの基準点と重なった位置に表示された数字その他の符号を読むことにより、簡単にケーブル管の外径がわかる。また、前記外径を表す符号と対応する、内径を表す符号を読むことにより、その管の内径が一目でわかる。
【００１０】
更に、前記外径を表す符号と対応する位置に表示された、ケーブルの規格を表す符号を読むことにより、管の中に入っている又は入り得るケーブルの規格が一目でわかる。
【発明を実施するための最良の形態】
【００１１】
図１は、実施例の管径測定具１を示す。この管径測定具１は、紙などで帯状に形成したシート２全体を透明な可撓性樹脂フィルム３で包むことによって作られ、自由に湾曲させることが可能で、耐水性を有し、屋外で使用しても劣化しにくいものである。
【００１２】
シート２は、自由に湾曲させることができ、ある程度の耐久性のある軟化プラスチックなどの素材であれば、可撓性樹脂フィルム３は省略できる。その場合、重なった部分の目盛りを読み易くするため、シート２が透過性のある素材であることが望ましい。また、シート２は、後からペンなどで追記できる素材であると便利である。
【００１３】
目盛り４は、１mmに円周率π（≒３．１４）を乗じた間隔でシート２の長手方向に等間隔に割り付けられ、夫々の目盛りに対応するケーブル管の外径を表す数字５が併記されている。目盛り４のうち基準点となる原点を表す線が基準線６であり、管径測定具１をケーブル管に巻きつけた際に目盛りを読み易いように、シート２部分だけでなく透明な可撓性樹脂フィルム３のみの部分まで延長されている。
【００１４】
シート２上の目盛りの下側には、次のように見出しを付した欄７〜１４が表示されている。その内容と意味について順に説明する。
【００１５】
「外径」との見出しを付した外径欄７は、ケーブル管の外径を表す数字を表示する欄である。管径測定具１をケーブル管に巻きつけた際に、この欄の、基準線６と重なる目盛り４に付記された数字が、そのケーブル管の外径を表す。単位はミリメートルである。
【００１６】
「厚鋼電線管内径」との見出しを付した厚鋼電線管内径欄８は、厚鋼電線管の内径を表す数字を表示する欄である。管径測定具１をケーブル管に巻きつけた際に、そのケーブル管の外径を表す数字の列であってこの欄の部分に数字があれば、そのケーブル管は厚鋼電線管であり、その数字がそのケーブル管の内径を表す。単位はミリメートルである。
【００１７】
「低ＣＶＴ」との見出しを付した低ＣＶＴ欄９は、低圧用３芯ケーブルの規格を表す数字を表示する欄である。ケーブル管が厚鋼電線管であった場合、その内径を表す数字の下の、この欄のマス目に記された数字が、そのケーブル管に適合する低圧ＣＶＴケーブルの規格を表す。単位は平方ミリメートルである。
【００１８】
「低ＣＶＱ」との見出しを付した低ＣＶＱ欄１０は、低圧用４芯ケーブルの規格を表す数字を表示する欄である。ケーブル管が厚鋼電線管であった場合、その内径を表す数字の下の、この欄のマス目に記された数字が、そのケーブル管に適合する低圧ＣＶＱケーブルの規格を表す。単位は平方ミリメートルである。
【００１９】
「高ＣＶＴ」との見出しを付した高ＣＶＴ欄１１は、高圧用３芯ケーブルの規格を表す数字を表示する欄である。ケーブル管が厚鋼電線管であった場合、その内径を表す数字の下の、この欄のマス目に記された数字が、そのケーブル管に適合する高圧ＣＶＴケーブルの規格を表す。単位は平方ミリメートルである。
【００２０】
「薄鋼電線管内径」との見出しを付した薄鋼電線管内径欄１２は、薄鋼電線管の内径を表す数字を表示する欄である。管径測定具１をケーブル管に巻きつけた際に、そのケーブル管の外径を表す数字の列であってこの欄の部分に数字があれば、そのケーブル管は薄鋼電線管であり、その数字がそのケーブル管の内径を表す。単位はミリメートルである。
【００２１】
「低ＣＶＴ」との見出しを付した低ＣＶＴ欄１３は、低圧用３芯ケーブルの規格を表す数字を表示する欄である。ケーブル管が薄鋼電線管であった場合、その内径を表す数字の下の、この欄のマス目に記された数字が、そのケーブル管に適合する低圧ＣＶＴケーブルの規格を表す。単位は平方ミリメートルである。
【００２２】
「低ＣＶＱ」との見出しを付した低ＣＶＱ欄１４は、低圧用４芯ケーブルの規格を表す数字を表示する欄である。ケーブル管が薄鋼電線管であった場合、その内径を表す数字の下の、この欄のマス目に記された数字が、そのケーブル管に適合する低圧ＣＶＱケーブルの規格を表す。単位は平方ミリメートルである。
【００２３】
なお、薄鋼電線管では、高圧のケーブルを使用することができないので、薄鋼電線管の下に高ＣＶＱの欄はない。
【００２４】
図２は、管径測定具１を被測定管となるケーブル管１５に巻きつけた状態を示す。
【００２５】
ケーブル管１５は、電力量計器１６に接続して電力を供給する電線ケーブル１７を保護するための金属製の管である。
【００２６】
ケーブル管１５は、固定部材２０ａ及び２０ｂをビス２１ａ〜２１ｄで壁に固定することによって固定され、その一端は地面１８に接続し、他端から電線ケーブルが出ている場合は、防水手段１９により隙間を塞がれる。
【００２７】
次に、実施例の管径測定具１を使用した管径の測定方法について、図３を参照して説明する。
【００２８】
管径測定具１を、ケーブル管１５に巻きつけると、管径測定具１はケーブル管１５の周りを一周して、基準線６が目盛り４のいずれかと重なる。外径欄７の数字のうち、基準線６と重なった目盛り４に対応するものを読むことにより、このケーブル管の外径を簡単に知ることができる。例えば、管径測定具１をケーブル管に巻きつけた際に基準線６に重なった目盛り４に対応する外径欄７の数字が６０であれば、このケーブル管の外径は６０mmであるということがわかる。
【００２９】
次に、当該外径を表す数字の列で、厚鋼電線管内径欄８もしくは薄鋼電線管内径欄１２の数字を読むことにより、このケーブル管の内径を知ることができる。また、内径を表す数字が、厚鋼電線管内径欄８にあるか、薄鋼電線管内径欄１２にあるかによって、このケーブル管の種類を知ることができる。先の例の場合、図３において、外径を表す数字（外径欄７の行の６０）の列で、厚鋼電線管内径欄８と薄鋼電線管内径欄１２を見ると、厚鋼電線管内径欄８にのみ５４の数字があるので、このケーブル管は厚鋼電線管であり、その内径は５４mmであるということがわかる。
【００３０】
さらに、内径を表す数字の下に表示されている、低ＣＶＴ欄９、低ＣＶＱ欄１０及び高ＣＶＴ欄１１または低ＣＶＴ欄１３及び低ＣＶＱ欄１４の各行の数字を読むことにより、このケーブル管の中に入り得る電線ケーブルの規格を知ることができる。なお、該当する電線ケーブルの規格が複数ある場合もあるので、これらの数字は、必ずしも内径を表す数字の真下にあるわけではなく、内径を表す数字の真下のマス目の中に表示されている数字を参照する。先の例の場合、ケーブル管は厚鋼電線管であることがわかっているので、その内径を示す数字（厚鋼電線管内径欄８の５４）の下にある低ＣＶＴ欄９、低ＣＶＱ欄１０、高ＣＶＴ欄１１を見ると、低ＣＶＴ欄９に１４／２２ｓｑ、低ＣＶＱ欄１０に１４ｓｑとある。これは、低圧ＣＶＴ（３芯）ケーブルの断面積１４スクエア（平方ミリメートル）または２２スクエア、低圧ＣＶＱ（４芯）ケーブルであれば１４スクエアの規格のものがこのケーブル管に入り得ることを表す。高ＣＶＴ欄１１の当該列に数字がないので、このケーブル管に入り得る高圧ＣＶＴケーブルの規格が存在しないことがわかる。
【００３１】
以上のように、管径測定具１を使用すれば、ケーブル管の外径、内径、規格及びその中に入り得るケーブルの規格を簡単に測定もしくは割り出すことが可能である。
【図面の簡単な説明】
【００３２】
【図１】本発明の一実施例の構成を示す平面図。
【図２】実施例の管径測定具を被測定管に巻きつけた状態を示す図。
【図３】実施例の管径測定具の使用状態を示す図。
【符号の説明】
【００３３】
１…管径測定具、２…シート、３…可撓性樹脂フィルム、４…目盛り、５…外径を表す数字、６…基準線、７…外径欄、８…厚鋼電線管内径欄、９…低ＣＶＴ欄、１０…低ＣＶＱ欄、１１…高ＣＶＴ欄、１２…薄鋼電線管内径欄、１３…低ＣＶＴ欄、１４…低ＣＶＱ欄、１５…ケーブル管、１６…電力量計器、１７…電線ケーブル、１８…地面、１９…防水手段、２０ａ〜２０ｂ…固定部材、２１ａ〜２１ｄ…ビス。
【図１】
2007101378.tif 000003
【図２】
2007101378.tif 000004
【図３】
2007101378.tif 000005